(57)【要約】      （修正有）【課題】簡易な構造で開閉扉に固定できると共に、ヒンジ軸の延出量を調整可能な構造を有するヒンジ機構を提供する。【解決手段】開閉扉４が開閉するための開口部の上下枠体５，６のそれぞれに設けられ、回動支点に対応する位置に配される装着孔７１，８１に挿入して開閉扉を回動自在に保持するための回動支点の上下それぞれに設けられるヒンジ機構１であり、装着孔７１，８１に挿入して、ヒンジ軸として使用される所定の長さのボルト１０と、ボルトが螺合してボルトの延出量を調整可能にすると共にボルトを所定の位置に固定する高ナット２０と、高ナットを開閉扉の所定の位置に固定する保持固定部３０とによって構成される。【選択図】図２
0003204430.tif 000002
【実用新案登録請求の範囲】
【請求項１】
開閉扉の回動支点の上下にそれぞれ設けられ、前記開閉扉が開閉するための開口部の上下枠体のそれぞれに設けられ、前記回動支点に対応する位置に配される装着孔に挿入して前記開閉扉を回動自在に保持するための前記回動支点の上下それぞれに設けられるヒンジ機構において、
前記装着孔に挿入して、ヒンジ軸として使用される所定の長さのボルトと、該ボルトが螺合して該ボルトの延出量を調整可能にすると共に該ボルトを所定の位置に固定する高ナットと、該高ナットを前記開閉扉の所定の位置に固定する保持固定部とによって構成されることを特徴とするヒンジ機構。
【請求項２】
前記ボルトは、高ナットに螺合する螺合部と、該螺合部の先端に形成され、前記装着孔に挿入して前記開閉扉を回転自在に保持するための保持部とによって構成されることを特徴とする請求項1記載のヒンジ機構。
【請求項３】
前記保持固定部は、前記高ナットを保持する高ナット保持部と、前記開閉扉に固定される固定部とによって構成され、また、前記高ナット保持部は、対向する一対の平行保持部と、該平行保持部間を橋架する連設部とによって構成され、前記平行保持部には、前記高ナットが挿通する挿通孔が形成され、前記固定部は、前記平行保持部のそれぞれから前記開閉扉の側壁面に沿って上下方向に延出する一対の固定片によって構成されることを特徴とする請求項１又は２記載のヒンジ機構。
【考案の詳細な説明】
【技術分野】
【０００１】
この考案は、頻繁に開閉することがなく、特に軽量に形成されたドアの開閉のために簡易に設けることができるヒンジ機構に関する。
【背景技術】
【０００２】
特許文献１（特開２０１０−９５９３７号公報）は、キャビネットに対する開閉扉の取付構造に係り、簡単な構造で確実に開閉扉をキャビネットに着脱自在且つ反転自在に取り付けることのできる開閉扉の取付構造を提供するもので、前記取付構造は、開閉扉に、開口部の上下に設けた取付孔に取り付き、開閉扉の回転軸となる1本の長尺なヒンジ軸を上下方向に挿通し、前記ヒンジ軸を軸方向及び周方向に操作する操作レバーをヒンジ軸に取り付けると共に、前記開閉扉に、前記操作レバーをガイドし、操作レバーをロックする上下対象なロック機構を設けた。また、特許文献１では、キャビネットの正面カバーが、保守・点検時の作業性を考慮して回転式の開閉扉を用いることが多く、またキャビネットから取り外すことができるように着脱自在な構造となっていることが開示されており、また簡単な構造で確実に開閉扉をキャビネットに着脱自在且つ反転自在に取り付けることができる開閉扉の取付構造を開示する。
【０００３】
特許文献２（特開２０１１−４７１７１号公報）は、ドアの支持枠の上下部分に同軸に取り付けられて開閉される折りたたみ式ドアにおいて、ドアの開いた状態と閉じた状態をそれぞれ維持させることができるヒンジ機構を提供するもので、このヒンジ機構は、ドア側に取り付けられた筺体内に収納され、ドアの支持機構に固定された多角形軸を有するヒンジ機構において、多角形軸に嵌挿されたカム部を備え、カム部が、筺体内に嵌挿され、ドアの開閉に伴い多角形軸を中心にして筺体と一体に回転する上側カム筒と、多角形軸に上下動可能且つ回転不能に外嵌されると共に上側カム筒にカム結合され、上側カム筒が回転すると多角形軸に沿って上下動させる下側カム筒とからなることを特徴とする。また、特許文献２では、ヒンジ機構の枢着金具は、ドアに垂直に取り付けられる円筒状の筺体と、筺体の上面から所定の幅で直角方向に延設した平板状のアーム片とによって構成され、ヒンジ機構は前記アーム片が複数のネジによってドア上部に固定されることが開示されている。さらに、ドアを軸支する多角形軸は、吊りレール挟持金具によって吊りレールに移動可能に吊下されている。
【０００４】
特許文献３（特開２０１３−９１９００号公報）は、  簡単な手順で扉を扉枠に取り付けることのできる扉の取付構造を提供するもので、この取付構造は、縦軸まわりに回転自在に連結された可動ブロックと固定ブロックを有する下側ヒンジ装置及び上側ヒンジ装置と、位置決め係合部を有する下側取付ベースと、仮保持構造と本固定構造を有する上側取付ベースとを用い、前記下側ヒンジ装置の前記可動ブロックを前記扉の下端面に固定し、前記上側ヒンジ装置の前記可動ブロックを前記扉の上端面に固定し、前記下側取付ベースを前記扉脇の下部に固定し、前記上側取付ベースを前記扉枠の上部に固定し、前記下側取付ベースに前記下側ヒンジ装置を載せるとともに前記位置決め係合部によって前記下側ヒンジ装置を位置決めした状態で、前記上側取付ベースの前記仮保持構造に前記上側ヒンジ装置の前記固定ブロックを仮保持させ、この仮保持状態にて前記本固定構造に前記固定ブロックを本固定している。
【０００５】
【特許文献１】特開２０１０−９５９３７号公報
【特許文献２】特開２０１１−４７１７１号公報
【特許文献３】特開２０１３−９１９００号公報
【考案の開示】
【考案が解決しようとする課題】
【０００６】
前述した特許文献１では、開閉扉の回転支点となる箇所に、開閉扉の上下に延出するようにヒンジ軸が挿通しており、このヒンジ軸が、開閉扉の閉塞する開口面の上下の枠体に形成された取付孔に挿入されて開閉扉を保持する構造となっているがヒンジ軸自体が伸縮する構造でないため、ヒンジ軸の取付孔への取り付け作業自体が困難で有り、またヒンジ軸自体の寸法調整機能がないという問題点を有している。また、ヒンジ軸自体が長尺であることから、ヒンジ軸が開閉扉の重量等による負荷によって変形した場合に、開閉扉の開閉が円滑でなくなるという問題点も有している。
【０００７】
特許文献２では、開閉扉を支持する多角形軸が、開閉扉の開閉と共に回転してカム同士が結合する位置に開閉扉を保持することができる構造であるが、この構造を通常の開閉扉に簡易に設置するためには、多角形軸の延出量を調整できる構造を有することが必要である。
【０００８】
特許文献３では、下側ヒンジ装置を位置決めした状態で、上側取り付けベースの仮保持構造に上側ヒンジ装置の固定ブロックを仮保持させた状態で、本固定構造に固定ブロックを本固定する構造であるため、扉を扉枠に装着する取り付け作業自体は簡易であるが、そのための構造が複雑でコスト高となるという問題点がある。
【０００９】
特許文献３に開示されているように、従来の扉の取り付け作業では、扉が重たいため、扉を支えながら蝶番等を取り付けるため、作業者が複数必要となるという問題点があり、またこの問題を回避するために特許文献３で開示されているような複雑なヒンジ装置が必要であった。
【００１０】
しかしながら、特許文献１で開示されているようなキャビネットに対する開閉扉や、パーテーションによって構成された壁面に取り付けられる開閉扉のように、薄いプレートによって軽量に形成された開閉扉であっても、特に問題が生じないような開閉扉の場合、ヒンジ機構を溶接により開閉扉の固定できないという不具合があるが、特に開閉扉が軽量の場合にはヒンジ機構にかかる負荷が小さいため、ねじ止めや両面テープによる固定でも十分である。
【００１１】
このため、本考案は、簡易な構造で開閉扉に固定できると共に、ヒンジ軸の延出量を調整可能な構造を有するヒンジ機構を提供している。
【課題を解決するための手段】
【００１２】
したがって、本考案に係るヒンジ機構は、開閉扉の回動支点の上下にそれぞれ設けられ、前記開閉扉が開閉するための開口部の上下枠体のそれぞれに設けられ、前記回動支点に対応する位置に配される装着孔に挿入して前記開閉扉を回動自在に保持するための前記回動支点の上下それぞれに設けられるヒンジ機構において、前記装着孔に挿入して、ヒンジ軸として使用される所定の長さのボルトと、該ボルトが螺合して該ボルトの延出量を調整可能にすると共に該ボルトを所定の位置に固定する高ナットと、該高ナットを前記開閉扉の所定の位置に固定する保持固定部とによって構成されることを特徴とする（請求項１）。
【００１３】
ヒンジ軸として使用される前記ボルトは、高ナットに螺合する螺合部と、該螺合部の先端に形成され、前記装着孔に挿入して前記開閉扉を回転自在に保持するための保持部とによって構成され、ボルトを回転させて、前記螺合部が高ナットに螺合することによって、前記保持部が前記装着孔に向かって延出して前記装着孔に挿入される（請求項２）。
【００１４】
また、前記保持固定部は、前記高ナットを保持する高ナット保持部と、前記開閉扉に固定される固定部とによって構成される。また、前記高ナット保持部は、対向する一対の平行保持部と、該平行保持部間を橋架する連設部とによって構成されるもので、前記平行保持部には、前記高ナットが挿通する挿通孔が形成される。また、前記固定部は、前記平行保持部のそれぞれから前記開閉扉の側壁面に沿って上下方向に延出する一対の固定片によって構成されている（請求項３）。
【００１５】
尚、前記装着孔は、前記開閉扉によって開閉される開口部の枠体として配置される枠体の上下に設置される上下のガイドレールに移動可能に装着される装着部に形成されることが好ましい。さらに、この装着部は、ガイドレール内の適当な位置に、ネジ等によって固定されることが好ましい。
【００１６】
以上の構成により、前記開閉扉の回動支点の上下のそれぞれに保持固定部を固定手段によって固定し、保持固定部の高ナット保持部に、高ナットを挿通して固定する。その後、前記ボルトを高ナットに螺合させると共に、前記開閉扉を、開閉扉の開閉すべき開口部の所定の位置に配置し、そして前記ボルトを回転させて前記ボルトの保持部を延出させて、前記装着孔内に挿入させる。前記開閉扉の回動支点の上下それぞれに設けられたヒンジ機構について、前記ボルトの保持部を装着孔に挿入することによって、前記開閉扉の開口部に開閉自在に装着することができる。
【考案の効果】
【００１７】
本考案によれば、開閉扉の上下に装着されたそれぞれのヒンジ機構のボルトを高ナットにねじ込んでいくことによって、ボルトの保持部を装着孔に向かって延出させることができるため、上下枠体に開閉扉を簡単に装着することができる。また、ボルトの保持部の延出量を自由に調整することができるため、開閉扉に装着する保持固定部の固定位置に汎用性を持たせることができるという効果を奏する。さらに、ボルトの延出量を調整できることから、同一構造のヒンジ機構を開閉扉の上下に配することもできると共に、汎用性を持たせることができるため、コストダウンを達成できる（請求項１）。
【００１８】
また、前記保持固定部は、前記高ナットを保持する高ナット保持部と、前記開閉扉に固定される固定部とによって構成される。また、前記高ナット保持部は、対向する一対の平行保持部と、該平行保持部間を橋架する連設部とによって構成されるもので、前記平行保持部には、前記高ナットが挿通する挿通孔が形成される。また、前記固定部は、前記平行保持部のそれぞれから前記開閉扉の側壁面に沿って上下方向に延出する一対の固定片によって構成されるもので、例えば両面テープ、ネジ止め等の接合手段によって前記開閉扉に固定される。このため、開閉扉の厚みが０．８ｍｍと薄くても開閉扉に変形を与えることなく取付固定できる（請求項３）。
【図面の簡単な説明】
【００１９】
【図１】本考案に係るヒンジ機構が設置された開閉扉の一例を示した説明図である。
【図２】開閉扉の回動支点の上下にヒンジ機構が設けられた状態を示した説明図である。
【図３】開閉扉の回動支点の上に配置されたヒンジ機構の説明図である。
【図４】開閉扉の回動支点の下に配置されたヒンジ機構の説明図である。
【図５】本考案に係るヒンジ機構の分解図である。
【考案を実施するための最良の形態】
【００２０】
以下、この考案の実施例について図面により説明する。
【実施例】
【００２１】
本考案に係るヒンジ機構１は、例えば図１に示すように、壁面２に形成された開口部３を開閉する開閉扉４の回動支点の上下に設けられるもので、前記開口部３の上下に設置される枠体５，６のそれぞれに設けられる上下の装着部７，８に対応して配置される。
【００２２】
上下の装着部７，８は、例えば図２乃至図４に示すように、枠体（ガイドレール）５，６の所定の位置にネジ７３、８３等によって固定される支点保持部７０，８０と、前記装着孔７１，８１が形成され、前記支点保持部７０，８０に保持される装着孔形成部７２，８２とによって構成される。
【００２３】
前記ヒンジ機構１は、図２乃至図５に示すように、前記装着孔７１，８１に挿入して、ヒンジ軸として使用される所定の長さのボルト１０と、このボルト１０が螺合して該ボルト１０の延出量を調整可能にすると共に該ボルト１０を所定の位置に固定する高ナット２０と、この高ナット２０を前記開閉扉４の所定の位置に固定する保持固定部３０とによって構成される。
【００２４】
ヒンジ軸として使用される前記ボルト１０は、高ナット２０に螺合する螺合１１部と、この螺合部１１の先端に形成され、前記装着孔７１，８１に挿入して前記開閉扉４を回転自在に保持するための保持部１２とによって構成され、ボルト１０を回転させて、前記螺合部１１が高ナット２０に螺合することによって、前記保持部１２が前記装着孔７１，８１に向かって延出して前記装着孔７１，８１に挿入される。
【００２５】
また、前記保持固定部３０は、前記高ナット２０を保持する高ナット保持部と、前記開閉扉４に固定される固定部とによって構成される。前記高ナット保持部は、対向する一対の平行保持部３１，３２と、これら平行保持部３１，３２間を橋架する連設部３３とによって構成されるもので、前記平行保持部３１，３２には、前記高ナット２０が挿通する挿通孔３４，３５が形成される。この挿通孔３４，３５は、高ナット２０の断面形状に対応した形状、例えば多角形（この実施例では、６角形）に形成される。
【００２６】
また、前記固定部は、前記平行保持部３１，３２のそれぞれから前記開閉扉４の側壁面に沿って上下方向に延出する一対の固定片３６，３７によって構成されるもので、例えば両面テープ、ネジ止め等の接合手段によって前記開閉扉４の所定の位置に固定される。これにより、開閉扉４には溶接を用いずに取付固定されるから、開閉扉４の厚みが０．８ｍｍと薄くても該開閉扉に変形を与えることはない。
【００２７】
前記高ナット２０は、自転を防止するために多角形（この実施例では、６角形）に形成されるもので、その両端部近傍には、高ナット２０を前記平行保持部３１，３２に固定するための環状溝２１，２２が形成される。これによって、前記高ナット２０を前記挿通孔３４，３５に挿通させた後、ワッシャ２３，２３を介して前記環状溝２１，２２にＥ型止め輪２４，２４を嵌合させることによって前記高ナット２０を高ナット保持部３０に固定することができる。
【００２８】
さらに、前記ボルト１０に、緩み止めナット１３を螺合させた後、前記ボルト１０を前記高ナット２０に螺合させて、前記保持部１２が前記挿通孔７１，８１に挿通される位置まで延出させ、スプリングワッシャ１４を介して前記緩み止めナット１３を高ナット２０に対して締め込み、ボルト１０の位置を固定するようにする。これによって、ヒンジ軸としてボルト１０を前記装着孔７１，８１に対して挿入させることができるので、開閉扉４を回転自在に軸支することができる。
【符号の説明】
【００２９】
１  ヒンジ機構
２  壁面
３  開口部
４  開閉扉
５，６  枠体
７，８  装着部
１０  ボルト
１１  螺合部
１２  保持部
１３  緩み止め用ナット
１４  スプリングワッシャ
２０  高ナット
２１，２２  環状溝
２３  ワッシャ
２４  Ｅ型止め輪
３０  保持固定部
３１，３２  平行保持部
３３  連設部
３４，３５  挿通孔
３６，３７  固定片
７０，８０  支点保持部
７１，８１  装着孔
７２，８２  装着孔形成部
【図１】
0003204430.tif 000003
【図２】
0003204430.tif 000004
【図３】
0003204430.tif 000005
【図４】
0003204430.tif 000006
【図５】
0003204430.tif 000007